(57)【要約】      （修正有）【課題】動力源エネルギーを効率よく発電エネルギーに変換できるので、発電量の総和を増やすことができ、動力源エネルギーを少なく抑えることができ、エネルギーの節約にもつながり環境にやさしい発電機を提供する。【解決手段】第１ジェネレータと、第２ジェネレータと、を有するジェネレータセットを含む界磁回転型の発電機であり、第１ジェネレータ又は第２ジェネレータのいずれか１方が、その回転子がその囲繞されたステータの極性に対して反発する極性となるように配置され、他方の第１ジェネレータ又は第２ジェネレータの回転子はそのステータに対して引き合う極性で配置され、第１回転子ダイオードの＋側と第２回転子ダイオードの＋側、第１回転子ダイオードの−側と第２回転子ダイオードの−側、とをそれぞれ接続することにより、低回転時の前記第１回転子及び第２回転子の回転ムラを解消するようにした。【選択図】図１
0003135147.tif 000002
【実用新案登録請求の範囲】
【請求項１】
第１回転子本体と、
該第１回転子本体に巻回された第１回転子フィールドコイルと、
該第１回転子フィールドコイルと並列に設けられた第１回転子ダイオードと、
を有し、Ｓ極，Ｎ極が形成された第１回転子と、
該第１回転子を囲繞するように設けられた第１ステータ本体と、
該第１ステータ本体のスロットに巻回された第１ステータメイン・コイルと、
該第１ステータ本体のスロットに巻回された第１ステータエキサイタ・コイルと、を有し、Ｓ極，Ｎ極が形成された第１ステータと、
を含む、第１ジェネレータと、
第２回転子本体と、
該第２回転子本体に巻回された第２回転子フィールドコイルと、
該第２回転子フィールドコイルと並列に設けられた第２回転子ダイオードと、
を有し、Ｓ極，Ｎ極が形成された第２回転子と、
該第２回転子を囲繞する第２ステータ本体と、
該第２ステータ本体のスロットに巻回された第２ステータメイン・コイルと、
該第２ステータ本体のスロットに巻回された第２ステータエキサイタ・コイルと、を有し、Ｓ極，Ｎ極が形成された第２ステータと、
を含む、第２ジェネレータと、
を有するジェネレータセットを含む界磁回転型の発電機であり、
前記第１ジェネレータ又は第２ジェネレータのいずれか１方が、その回転子がその囲繞されたステータの極性に対して反発する極性となるように配置され、他方の第１ジェネレータ又は第２ジェネレータの回転子はそのステータに対して引き合う極性で配置され、
前記第１回転子ダイオードの＋側と前記第２回転子ダイオードの＋側、前記第１回転子ダイオードの−側と前記第２回転子ダイオードの−側、とをそれぞれ接続することにより、
低回転時の前記第１回転子及び第２回転子の回転ムラを解消するようにしたことを特徴とする発電機。
【請求項２】
前記ジェネレータセットを複数設けたことを特徴とする請求項１記載の発電機。
【考案の詳細な説明】
【技術分野】
【０００１】
本考案は、回転動力源を少なく抑え、効率よく発電することが可能な新規な発電機に関する。
【背景技術】
【０００２】
従来、発電機としては、例えば、特許文献１に記載されたようなものが知られている。この発電機は、コイルと並列にダイオードが設けられている自励式界磁回転型発電機において、ステータ側に永久磁石を配設し、該界磁コイルに励起された電圧を利用しダイオードを介して励磁を行い、出力電圧の立ち上りを確立するようにした自励式界磁回転型発電機である。すなわち、回転子と、回転子に巻回された界磁コイルと、ステータのスロットに巻回されたメイン・コイルと、該メイン・コイルと電気角で９０度ずれた位置のスロットに巻回されたエキサイタ・コイルと、ステータ側に設けられ、Ｎ極，Ｓ極を形成するための２個の永久磁石と、を含む発電機が従来知られている。
【０００３】
上記したような発電機は小型化できるため、持ち運びにも便利であり、例えばキャンプなどの様々なアウトドアでもよく使用されている。一方、最近では電力を使う製品等が多くなり、キャンプなどに小型のポータブル発電機を持っていった場合、特許文献１に記載されたような従来の発電機の構造では、発電量が物足りないという問題があった。
【０００４】
この点、例えば何台もの発電機を使用したりすれば、発電量の総和は増加することになる。しかしながら、何台もの発電機を使用すれば、それに応じて、例えばガソリンなどの回転動力源のエネルギーを増加させる必要がある。また、それぞれの発電機間のエネルギーのバランスをとるのも困難である。
【０００５】
したがって、動力源のエネルギーはなるべく抑えながら、一方で発電量を増やしたいという点にジレンマがあり、いかにして動力源のエネルギーを効率よく発電エネルギーに変換することができるかということに、多くの人々が長年悩まされてきた。
【特許文献１】実開昭６１−８１７７１
【考案の開示】
【考案が解決しようとする課題】
【０００６】
本考案は、上記した問題点に鑑みなされたもので、動力源エネルギーを効率よく発電エネルギーに変換できるので発電量の総和を増やすことができ、したがって動力源エネルギーを少なく抑えることができるのでエネルギーの節約にもつながり環境にやさしい発電機を提供することを目的とする。
【課題を解決するための手段】
【０００７】
上記の目的を達成する為に、本考案の発電機は、
第１回転子本体と、
該第１回転子本体に巻回された第１回転子フィールドコイルと、
該第１回転子フィールドコイルと並列に設けられた第１回転子ダイオードと、
を有し、Ｓ極，Ｎ極が形成された第１回転子と、
該第１回転子を囲繞するように設けられた第１ステータ本体と、
該第１ステータ本体のスロットに巻回された第１ステータメイン・コイルと、
該第１ステータ本体のスロットに巻回された第１ステータエキサイタ・コイルと、を有し、Ｓ極，Ｎ極が形成された第１ステータと、
を含む、第１ジェネレータと、
第２回転子本体と、
該第２回転子本体に巻回された第２回転子フィールドコイルと、
該第２回転子フィールドコイルと並列に設けられた第２回転子ダイオードと、
を有し、Ｓ極，Ｎ極が形成された第２回転子と、
該第２回転子を囲繞する第２ステータ本体と、
該第２ステータ本体のスロットに巻回された第２ステータメイン・コイルと、
該第２ステータ本体のスロットに巻回された第２ステータエキサイタ・コイルと、を有し、Ｓ極，Ｎ極が形成された第２ステータと、
を含む、第２ジェネレータと、
を有するジェネレータセットを含む界磁回転型の発電機であり、
前記第１ジェネレータ又は第２ジェネレータのいずれか１方が、その回転子がその囲繞されたステータの極性に対して反発する極性となるように配置され、他方の第１ジェネレータ又は第２ジェネレータの回転子はそのステータに対して引き合う極性で配置され、
前記第１回転子ダイオードの＋側と前記第２回転子ダイオードの＋側、前記第１回転子ダイオードの−側と前記第２回転子ダイオードの−側、とをそれぞれ接続することにより、
低回転時の前記第１回転子及び第２回転子の回転ムラを解消するようにしたことを特徴とする。
【０００８】
このように構成すると、第１回転子フィールドコイルと第２回転子フィールドコイルを配線で結ぶことによってフィールドコイルの電流が安定し、発電量に対して回転動力源を少なくすることができる。そして、前記した１対のジェネレータがジェネレータ２つ１組で１つのジェネレータセットとして作用し、回転動力源からのエネルギーを効率よく２つのジェネレータに伝えることができるため、回転動力源エネルギーを効率よく発電エネルギーに変換でき、発電機の発電量の総和を増やすことが可能となる。
【０００９】
前記ジェネレータセットとしては、ジェネレータを２つ１組とし、互いの抵抗バランスの同じものを使用する。また、前記フィールドコイルは左右対称に設置する。
【００１０】
また、２つ１組のジェネレータからなるジェネレータセットを複数設けることもできる。前記ジェネレータセットを複数設ければ、ジェネレータが１対のみの場合よりもさらに発電量を増加させることができる。
【考案の効果】
【００１１】
動力源エネルギーを効率よく発電エネルギーに変換できるので発電量の総和を増やすことができ、したがって動力源エネルギーを少なく抑えることができるのでエネルギーの節約にもつながり環境にやさしい発電機を提供することができるという著大な効果を奏する。本考案に係る発電機は、種々の発電装置に適用することができ、例えばポータブル発電機、建物への電力供給装置や車の発電装置などにも適用可能である。
【考案を実施するための最良の形態】
【００１２】
以下に本考案の実施の形態を添付図面に基づいて説明するが、本考案の技術思想から逸脱しない限りこれらの実施の形態について種々の変更又は変形が可能なことは言うまでもない。
【００１３】
図１は本考案の発電機のジェネレータセットの第１の態様を示す概略説明図、図２はジェネレータセットの磁性配置を概念的に示した概念説明図であって、（ａ）は第１の態様、（ｂ）は第２の態様を示す。図３はジェネレータセットの磁性配置を示した分解図であって、（ａ）は第１の態様、（ｂ）は第２の態様を示す。図４はジェネレータセットの構成を概念的に示した概念説明図であって、（ａ）は第３の態様、（ｂ）は第４の態様を示す。図５はジェネレータセットの第３の態様を示す概略説明図、図６はジェネレータセットの第３の態様を示す斜視図、図７は本考案の発電機の一つの実施の形態を示す概略側面断面図、図８は本考案の発電機の一つの実施の形態を示す回路図である。図９は１対のジェネレータを複数設けた場合を概念的に示した概念説明図であって、（ａ）はジェネレータセットの第５の態様、（ｂ）はジェネレータセットの第６の態様を示す。
【００１４】
本考案に係る発電機のジェネレータセットの第１の態様を図１〜図３に基づいて説明する。符号１０Ａは本考案に係る発電機のジェネレータセットを示す。ジェネレータセット１０Ａは、１対のジェネレータである第１ジェネレータ１２ａ及び第２ジェネレータ１２ｂから構成されている。
【００１５】
図１において、第１ジェネレータ１２ａは、シャフト１４に回転自在に取付けられた第１回転子本体１６ａと、該第１回転子本体１６ａに巻回された第１回転子フィールドコイルと１８ａと、第１回転子本体１６ａに設けられた第１回転子ダイオード２０ａと、を有し、Ｓ極，Ｎ極が形成された第１回転子２２ａと、該第１回転子２２ａを囲繞するように設けられた第１ステータ本体２４ａと、該第１ステータ本体２４ａのスロットに巻回された第１ステータメイン・コイル２６ａと、該第１ステータ本体２４ａのスロットに巻回された第１ステータエキサイタ・コイル２８ａと、を有し、Ｓ極，Ｎ極が形成された第１ステータ３０ａと、を含む。また、第１回転子２２ａには、電圧立ち上げのための永久磁石３２ａ，３４ａが設けられている（図１）。なお、電圧立ち上げのための永久磁石３２ａ，３４ａを第１ステータ３０ａの方に設ける構成としてもよい。
【００１６】
一方、第２ジェネレータ１２ｂは、シャフト１４に回転自在に取付けられた第２回転子本体１６ｂと、該第２回転子本体１６ｂに巻回された第２回転子フィールドコイル１８ｂと、第２回転子本体１６ｂに設けられた第２回転子ダイオード２０ｂと、を有し、Ｓ極，Ｎ極が形成された第２回転子２２ｂと、該第２回転子２２ｂを囲繞するように設けられた第２ステータ本体２４ｂと、該第２ステータ本体２４ｂのスロットに巻回された第２ステータメイン・コイル２６ｂと、該第２ステータ本体２４ｂのスロットに巻回された第２ステータエキサイタ・コイル２８ｂと、を有し、Ｓ極，Ｎ極が形成された第２ステータ３０ｂと、を含む（図１）。また、第２回転子２２ｂには、電圧立ち上げのための永久磁石３２ｂ，３４ｂが設けられている（図１）。なお、電圧立ち上げのための永久磁石３２ｂ，３４ｂを第２ステータ３０ｂの方に設ける構成としてもよい。
【００１７】
前記第１回転子ダイオード２０ａの＋側と前記第２回転子ダイオード２０ｂの＋（プラス）側、前記第１回転子ダイオード２０ａの−側と前記第２回転子ダイオード２０ｂの−（マイナス）側、とは、それぞれ第１接続線３６及び第２接続線３８で接続されている（図１）。
【００１８】
本考案に係る発電機では、前記第１ジェネレータ１２ａの第１回転子２２ａ又は第２ジェネレータ１２ｂの第２回転子２２ｂのいずれか１方がその囲繞されたステータの極性に対して逆の極性を有するように前記ステータに対して反発する極性で配置し、他方の第１回転子２２ａ又は第２回転子２２ｂは前記ステータに対して引き合う極性で配置される。この配置を、図２に基づいて説明する。
【００１９】
図２において、（ａ）は第１の態様に係る第１ジェネレータ１２ａの第１回転子２２ａ及び第１ステータ３０ａ並びに第２ジェネレータ１２ｂの第２回転子２２ｂ及び第２ステータ３０ｂの磁性配置である。
【００２０】
図２（ａ）において、第１ジェネレータ１２ａの第１回転子２２ａの極性（Ｓ極，Ｎ極）はその囲繞された第１ステータ３０ａの極性（Ｓ極，Ｎ極）に対して、反発する極性で配置されている。一方、第２ジェネレータ１２ｂの第２回転子２２ｂの極性（Ｓ極，Ｎ極）はその囲繞された第２ステータ３０ｂの極性（Ｓ極，Ｎ極）に対して、引き合う極性で配置されている。
【００２１】
このように配置すると、反発する磁力を利用することで、第１ジェネレータ１２ａ及び第２ジェネレータ１２ｂの回転ムラを抑えることができる。すなわち、第１回転子２２ａ及び第２回転子２２ｂが効率よく回転するので、第１ジェネレータ１２ａ及び第２ジェネレータ１２ｂでの発電効率がよくなる。
【００２２】
また、第１ジェネレータ１２ａ及び第２ジェネレータ１２ｂのいずれか一方を反発する極性とし、他方を引き合う極性とすればよいものであるから、図２（ｂ）に示す磁性配置でも可能である。
【００２３】
図２において、ジェネレータセット１０Ｂは、第１ジェネレータ１１２ａと第２ジェネレータ１１２ｂとから構成されている。図２において、（ｂ）は第２の態様に係る第１ジェネレータ１１２ａの第１回転子１２２ａ及び第１ステータ１３０ａ並びに第２ジェネレータ１１２ｂの第２回転子１２２ｂ及び第２ステータ１３０ｂの磁性配置である。１１４はシャフトである。
【００２４】
図２（ｂ）において、第１ジェネレータ１１２ａの第１回転子１２２ａの極性（Ｓ極，Ｎ極）はその囲繞された第１ステータ１３０ａの極性（Ｓ極，Ｎ極）に対して、引き合う極性で配置されている。一方、第２ジェネレータ１１２ｂの第２回転子１２２ｂの極性（Ｓ極，Ｎ極）はその囲繞された第２ステータ１３０ｂの極性（Ｓ極，Ｎ極）に対して、反発する極性で配置されている。
【００２５】
このように配置すると、反発する磁力を利用することで、第１ジェネレータ１１２ａ及び第２ジェネレータ１１２ｂの回転ムラを抑えることができる。すなわち、第１回転子１２２ａ及び第２回転子１２２ｂが効率よく回転するので、第１ジェネレータ１１２ａ及び第２ジェネレータ１１２ｂでの発電効率がよくなる。
【００２６】
図３において、（ａ）は図２（ａ）と同様の第１の態様に係る第１ジェネレータ１２ａの第１回転子２２ａ及び第１ステータ３０ａ並びに第２ジェネレータ１２ｂの第２回転子２２ｂ及び第２ステータ３０ｂの磁性配置を示した分解図である。
【００２７】
図３（ａ）において、図２（ａ）と同様に、第１ジェネレータ１２ａの第１回転子２２ａの極性（Ｓ極，Ｎ極）はその囲繞された第１ステータ３０ａの極性（Ｓ極，Ｎ極）に対して、反発する極性で配置されている。一方、第２ジェネレータ１２ｂの第２回転子２２ｂの極性（Ｓ極，Ｎ極）はその囲繞された第２ステータ３０ｂの極性（Ｓ極，Ｎ極）に対して、引き合う極性で配置されている。
【００２８】
図２（ａ）では省略したが、図１及び図３（ａ）に示すように、前記第１回転子ダイオード２０ａの＋側と前記第２回転子ダイオード２０ｂの＋側、前記第１回転子ダイオード２０ａの−側と前記第２回転子ダイオード２０ｂの−側、とは、それぞれ第１接続線３６及び第２接続線３８で接続されている。
【００２９】
このように構成すると、反発する磁力を利用することで、第１ジェネレータ１２ａ及び第２ジェネレータ１２ｂの回転ムラを抑えることができる。すなわち、第１回転子２２ａ及び第２回転子２２ｂが効率よく回転するので、第１ジェネレータ１２ａ及び第２ジェネレータ１２ｂでの発電効率がよくなる。
【００３０】
また、第１ジェネレータ１２ａ及び第２ジェネレータ１２ｂのいずれか一方を反発する極性とし、他方を引き合う極性とすればよいものであるから、図３（ｂ）に示す構成でもよい。
【００３１】
図３において、（ｂ）は図２（ｂ）と同様の第２の態様に係る第１ジェネレータ１１２ａの第１回転子１２２ａ及び第１ステータ１３０ａ並びに第２ジェネレータ１１２ｂの第２回転子１２２ｂ及び第２ステータ１３０ｂの磁性配置である。
【００３２】
図３（ｂ）において、第１ジェネレータ１１２ａの第１回転子１２２ａの極性（Ｓ極，Ｎ極）はその囲繞された第１ステータ１３０ａの極性（Ｓ極，Ｎ極）に対して、引き合う極性で配置されている。一方、第２ジェネレータ１１２ｂの第２回転子１２２ｂの極性（Ｓ極，Ｎ極）はその囲繞された第２ステータ１３０ｂの極性（Ｓ極，Ｎ極）に対して、反発する極性で配置されている。
【００３３】
図２（ｂ）では省略したが、図１及び図３（ａ）の場合と同様にして、第１回転子ダイオードの＋側と第２回転子ダイオードの＋側、第１回転子ダイオードの−側と第２回転子ダイオードの−側、とは、それぞれ第１接続線１３６及び第２接続線１３８で接続されている。
【００３４】
このように配置すると、反発する磁力を利用することで、第１ジェネレータ１１２ａ及び第２ジェネレータ１１２ｂの回転ムラを抑えることができる。すなわち、第１回転子１２２ａ及び第２回転子１２２ｂが効率よく回転するので、第１ジェネレータ１１２ａ及び第２ジェネレータ１１２ｂでの発電効率がよくなる。
【００３５】
上述した第１の態様及び第２の態様では、回転子のフィールドコイルは１本巻きとしたが、回転子のフィールドコイルを２本巻きとしてもよいことは勿論である。
【００３６】
回転子のフィールドコイルを２本巻きとした場合のジェネレータセットの例を第３の態様及び第４の態様として、図４に示す。
【００３７】
図４（ａ）、図５及び図６にジェネレータセットの第３の態様を示す。図４（ａ）、図５及び図６において、ジェネレータセット１０Ｃは、第１ジェネレータ２１２ａと第２ジェネレータ２１２ｂとから構成されている。図４（ａ）において、第１ジェネレータ２１２ａは、シャフト２１４に回転自在に取付けられた第１回転子本体２１６ａと、該第１回転子本体２１６ａに巻回された第１回転子フィールドコイル２１８ａ及び２１９ａと、第１回転子本体２１６ａに設けられた第１回転子ダイオード２２０ａ，２２１ａと、を有し、Ｓ極，Ｎ極が形成された第１回転子２２２ａと、該第１回転子２２２ａを囲繞するように設けられた第１ステータ本体２２４ａと、該第１ステータ本体２２４ａのスロットに巻回された第１ステータメイン・コイル２２６ａと、該第１ステータ本体２２４ａのスロットに巻回された第１ステータエキサイタ・コイル２２８ａと、を有し、Ｓ極，Ｎ極が形成された第１ステータ２３０ａと、を含む。また、第１回転子２２２ａには、電圧立ち上げのための永久磁石２３２ａ，２３４ａが設けられている。なお、電圧立ち上げのための永久磁石を第１ステータ２３０ａの方に設ける構成としてもよい。
【００３８】
一方、第２ジェネレータ２１２ｂは、シャフト２１４に回転自在に取付けられた第２回転子本体２１６ｂと、該第２回転子本体２１６ｂに巻回された第２回転子フィールドコイル２１８ｂ及び２１９ｂと、第２回転子本体２１６ｂに設けられた第２回転子ダイオード２２０ｂ，２２１ｂと、を有し、Ｓ極，Ｎ極が形成された第２回転子２２２ｂと、該第２回転子２２２ｂを囲繞するように設けられた第２ステータ本体２２４ｂと、該第２ステータ本体２２４ｂのスロットに巻回された第２ステータメイン・コイル２２６ｂと、該第２ステータ本体２２４ｂのスロットに巻回された第２ステータエキサイタ・コイル２２８ｂと、を有し、Ｓ極，Ｎ極が形成された第２ステータ２３０ｂと、を含む（図５）。また、第２回転子２２２ｂには、電圧立ち上げのための永久磁石２３２ｂ，２３４ｂが設けられている。なお、電圧立ち上げのための永久磁石を第２ステータ２３０ｂの方に設ける構成としてもよい。
【００３９】
前記第１回転子フィールドコイル２１８ａに設けられた第１回転子ダイオード２２０ａの＋側と第２回転子フィールドコイル２１９ｂに設けられた第２回転子ダイオード２２０ｂの＋側、前記第１回転子フィールドコイル２１８ａに設けられた前記第１回転子ダイオード２２０ａの−側と第２回転子フィールドコイル２１９ｂに設けられた前記第２回転子ダイオード２２０ｂの−側、とは、それぞれ接続線２３６及び２３７で接続されている（図５参照）。
【００４０】
また、前記第１回転子フィールドコイル２１９ａに設けられた第１回転子ダイオード２２１ａの＋側と第２回転子フィールドコイル２１９ｂに設けられた第２回転子ダイオード２２１ｂの＋側、前記第１回転子フィールドコイル２１９ａに設けられた前記第１回転子ダイオード２２１ａの−側と第２回転子フィールドコイル２１９ｂに設けられた前記第２回転子ダイオードの−側、とは、それぞれ接続線２３８及び２３９で接続されている（図５参照）。
【００４１】
符号２５０はベースフレームであり、複数の支柱２５２を有している。２５４は円筒状フレーム部材であり、第１ジェネレータ２１２ａと第２ジェネレータ２１２ｂの間に配置される。２５６は固定カバーであり、複数のナット２５８によって支柱２５２に取付けられる。ベースフレーム２５０、円筒状フレーム部材２５４及び固定カバー２５６の配置については、第１ジェネレータ２１２ａと第２ジェネレータ２１２ｂとの間隔が離れすぎたり近すぎたりしないように適宜調整すればよいものであるから、特別の限定はない。また、第１ジェネレータ２１２ａと第２ジェネレータ２１２ｂが支持されればよいものであるから、図示例以外の構成を採用することができる。ベースフレーム２５０、円筒状フレーム部材２５４及び固定カバー２５６は、同様にして、上述した第１の態様及び第２の態様に適用できることは勿論である。
【００４２】
図４（ｂ）にジェネレータセットの第４の態様を示す。図４（ｂ）において、ジェネレータセット１０Ｄは、第１ジェネレータ３１２ａと第２ジェネレータ３１２ｂとから構成されている。図４（ｂ）において、第１ジェネレータ３１２ａは、シャフト３１４に回転自在に取付けられた第１回転子本体３１６ａと、該第１回転子本体３１６ａに巻回された第１回転子フィールドコイル３１８ａ及び３１９ａと、第１回転子本体３１６ａに設けられた第１回転子ダイオード（図示省略）と、を有し、Ｓ極，Ｎ極が形成された第１回転子３２２ａと、該第１回転子３２２ａを囲繞するように設けられた第１ステータ本体３２４ａと、該第１ステータ本体３２４ａのスロットに巻回された第１ステータメイン・コイル（図示省略）と、該第１ステータ本体３２４ａのスロットに巻回された第１ステータエキサイタ・コイル（図示省略）と、を有し、Ｓ極，Ｎ極が形成された第１ステータ３３０ａと、を含む。また、第１回転子３２２ａには、電圧立ち上げのための永久磁石（図示省略）が設けられている。なお、電圧立ち上げのための永久磁石を第１ステータ３３０ａの方に設ける構成としてもよい。
【００４３】
一方、第２ジェネレータ３１２ｂは、シャフト３１４に回転自在に取付けられた第２回転子本体３１６ｂと、該第２回転子本体３１６ｂに巻回された第２回転子フィールドコイル３１８ｂ及び３１９ｂと、第２回転子本体３１６ｂに設けられた第２回転子ダイオード（図示省略）と、を有し、Ｓ極，Ｎ極が形成された第２回転子３２２ｂと、該第２回転子３２２ｂを囲繞するように設けられた第２ステータ本体３２４ｂと、該第２ステータ本体３２４ｂのスロットに巻回された第２ステータメイン・コイル（図示省略）と、該第２ステータ本体３２４ｂのスロットに巻回された第２ステータエキサイタ・コイル（図示省略）と、を有し、Ｓ極，Ｎ極が形成された第２ステータ３３０ｂと、を含む（図４）。また、第２回転子３２２ｂには、電圧立ち上げのための永久磁石（図示省略）が設けられている。なお、電圧立ち上げのための永久磁石を第２ステータ３３０ｂの方に設ける構成としてもよい。
【００４４】
前記第１回転子フィールドコイル３１８ａに設けられた第１回転子ダイオード（図示省略）の＋側と第２回転子フィールドコイル３１８ｂに設けられた第２回転子ダイオード（図示省略）の＋側、前記第１回転子フィールドコイル３１９ａに設けられた前記第１回転子ダイオードの−側と第２回転子フィールドコイル３１９ｂに設けられた前記第２回転子ダイオードの−側、とは、それぞれ第１接続線３３６及び３３７で接続されている（図１参照）。
【００４５】
また、前記第１回転子フィールドコイル３１９ａに設けられた第１回転子ダイオード（図示省略）の＋側と第２回転子フィールドコイル３１９ｂに設けられた第２回転子ダイオード（図示省略）の＋側、前記第１回転子フィールドコイル３１９ａに設けられた前記第１回転子ダイオードの−側と第２回転子フィールドコイル３１９ｂに設けられた前記第２回転子ダイオードの−側、とは、それぞれ第１接続線３３８及び３３９で接続されている（図１参照）。
【００４６】
ベースフレーム２５０、円筒状フレーム部材２５４及び固定カバー２５６については、上記した第３の態様と同様である。
【００４７】
図６に、図４（ａ）に示した第３の態様のジェネレータセットを組立てた状態を示す。
【００４８】
図７に、本考案に係る発電機の概略側面断面図を示す。図７において、符号５０は本考案に係る発電機の一つの実施の形態を示す。発電機５０は、図１に示した第１ジェネレータ１２ａ及び第２ジェネレータ１２ｂを有するジェネレータセットを含む。
【００４９】
また、符号５２は回転動力源であり、シャフト１４を回転させる働きをする。図示例では回転動力源５２としてガソリンエンジンを示したが、回転動力となりうるものであればよく、ガソリンエンジンに限定されない。なお、本考案の発電機５０は、種々の形態が考えられ、図示例に限定されるものではない。
【００５０】
図７では第１ジェネレータ１２ａ及び第２ジェネレータ１２ｂをシャフト１４で連結した場合を示したが、本考案では、第１ジェネレータ１２ａ及び第２ジェネレータ１２ｂが同期回転すればよいものである。したがって、図示例以外にも、第１ジェネレータ１２ａ及び第２ジェネレータ１２ｂを並置し、それぞれ別のシャフトを用いた２軸機構とし、タイミングベルトやチェーン又は歯車などでタイミングをとって同期回転させるように構成することもできる。
【００５１】
次に、本考案に係る発電機５０の回路図を図８に示す。係る構成については上述した図６に示した構成と同様であるから、再度の詳細な説明は省略する。図８において、符号５４はコンデンサー、符号５６はコンセントである。
【００５２】
本考案は、市販のポータブル発電機のジェネレータを２つ組み合わせて作製することも可能である。市販のポータブル発電機のジェネレータを２つ組み合わせる場合には、いずれか一方を第１ジェネレータとし、他方を第２ジェネレータとする。そして、この第１ジェネレータ及び第２ジェネレータを同期運転させるために、それぞれのシャフトを例えばジョイント部材などで接合する。このジョイント部材には特別の限定はなく、第１ジェネレータ及び第２ジェネレータが同期運転するように互いのシャフトを接合できればよいものである。
【００５３】
上述した本考案の発電機に係るジェネレータセットの例では、第１のジェネレータ及び第２のジェネレータからなるジェネレータセットの例を示した。しかし、本考案の発電機に係るジェネレータセットでは、１対のジェネレータを１組として構成すればよいものであるから、１対のジェネレータを複数設けたジェネレータセットとすることも可能である。すなわち、ジェネレータ２つを１組として偶数個配置する限り、ジェネレータの数に上限はない。
【００５４】
本考案の発電機に係る１対のジェネレータを複数設けた例を本考案の発電機に係るジェネレータセットの第５の態様及び第６の態様として、図９に示す。図９（ａ）は第５の態様を示す。図９（ａ）において、ジェネレータセット１０Ｅは、第１ジェネレータ４１２ａ〜第６ジェネレータ４１２ｆとから構成されている。第１ジェネレータ４１２ａ及び第２ジェネレータ４１２ｂで１対、第３ジェネレータ４１２ｃ及び第４ジェネレータ４１２ｄで１対、第５ジェネレータ４１２ｅ及び第６ジェネレータ４１２ｆで１対となるように構成されている。
【００５５】
第１ジェネレータ４１２ａ〜第６ジェネレータ４１２ｆは、それぞれ第１回転子４２２ａ〜第６回転子４２２ｆ及び第１ステータ４３０ａ〜第６ステータ４３０ｆを含む。これら第１ジェネレータ４１２ａ〜第６ジェネレータ４１２ｆは、１対のジェネレータのいずれか一方が、その回転子がその囲繞されたステータの極性に対して反発する極性となるように配置され、他方のジェネレータの回転子はそのステータに対して引き合う極性で配置されている。
【００５６】
そして、１対のジェネレータの一方の回転子ダイオードの＋側と他方の回転子ダイオードの＋側、該一方の回転子ダイオードの−側と該他方の回転子ダイオードの−側、とがそれぞれ第１接続線４３６ａ〜４３６ｅ及び第２接続線４３７ａ〜４３７ｅで接続されている。なお、基本的な構成については、上述した１対のジェネレータの構成の場合と同様であるので、詳細な構成については、説明を省略する。
【００５７】
このようにして、１対のジェネレータの低回転時における第１回転子（すなわち、いずれか一方の回転子）及び第２回転子（すなわち、他方の回転子）の回転ムラを解消することができる。
【００５８】
さらに、図９（ｂ）にジェネレータセットの第６の態様を示す。図９（ｂ）において、ジェネレータセット１０Ｆは、第１ジェネレータ５１２ａ〜第６ジェネレータ５１２ｆとから構成されている。第１ジェネレータ５１２ａ及び第２ジェネレータ５１２ｂで１対、第３ジェネレータ５１２ｃ及び第４ジェネレータ５１２ｄで１対、第５ジェネレータ５１２ｅ及び第６ジェネレータ５１２ｆで１対となるように構成されている。
【００５９】
第１ジェネレータ５１２ａ〜第６ジェネレータ５１２ｆは、それぞれ第１回転子５２２ａ〜第６回転子５２２ｆ及び第１ステータ５３０ａ〜第６ステータ５３０ｆを含む。これら第１ジェネレータ５１２ａ〜第６ジェネレータ５１２ｆは、１対のジェネレータのいずれか一方が、その回転子がその囲繞されたステータの極性に対して反発する極性となるように配置され、他方のジェネレータの回転子はそのステータに対して引き合う極性で配置されている。
【００６０】
そして、１対のジェネレータの一方の回転子ダイオードの＋側と他方の回転子ダイオードの＋側、該一方の回転子ダイオードの−側と該他方の回転子ダイオードの−側、とがそれぞれ第１接続線５３６ａ〜５３６ｅ及び第２接続線５３７ａ〜５３７ｅで接続されている。なお、基本的な構成については、上述した１対のジェネレータの構成の場合と同様であるので、詳細な構成については、説明を省略する。
【００６１】
このようにして、１対のジェネレータの低回転時における第１回転子（すなわち、いずれか一方の回転子）及び第２回転子（すなわち、他方の回転子）の回転ムラを解消することができる。
【００６２】
以上のように、構成することで、動力源エネルギーを効率よく発電エネルギーに変換できるので発電量の総和を増やすことができ、したがって動力源エネルギーを少なく抑えることができるのでエネルギーの節約にもつながり環境にやさしい発電機となるという利点がある。
【図面の簡単な説明】
【００６３】
【図１】本考案の発電機のジェネレータセットの第１の態様を示す概略説明図である。
【図２】ジェネレータセットの磁性配置を概念的に示した概念説明図であって、（ａ）は第１の態様、（ｂ）は第２の態様を示す。
【図３】ジェネレータセットの磁性配置を示した分解図であって、（ａ）は第１の態様、（ｂ）は第２の態様を示す。
【図４】ジェネレータセットの構成を概念的に示した概念説明図であって、（ａ）は第３の態様、（ｂ）は第４の態様を示す。
【図５】ジェネレータセットの第３の態様を示す概略説明図である。
【図６】ジェネレータセットの第３の態様を示す斜視図である。
【図７】本考案の発電機の一つの実施の形態を示す概略側面断面図である。
【図８】本考案の発電機の一つの実施の形態を示す回路図である。
【図９】１対のジェネレータを複数設けた場合を概念的に示した概念説明図であって、（ａ）はジェネレータセットの第５の態様、（ｂ）はジェネレータセットの第６の態様を示す。
【符号の説明】
【００６４】
１０Ａ，１０Ｂ，１０Ｃ，１０Ｄ，１０Ｅ，１０Ｆ：ジェネレータセット、１２ａ，１１２ａ，２１２ａ，３１２ａ，４１２ａ，５１２ａ：ジェネレータ、１４    ，１１４，２１４，３１４，４１４，５１４：シャフト、１６ａ，１６ｂ，２１６ａ，２１６ｂ，３１６ａ，３１６ｂ：回転子本体、１８ａ，１８ｂ，２１８ａ，２１８ｂ，２１９ａ，２１９ｂ，３１８ａ，３１９ａ，３１８ｂ，３１９ｂ回転子フィールドコイル、２０ａ，２０ｂ，２２０ａ，２２１ａ，２２０ｂ，２２１ｂ，：回転子ダイオード、２２ａ，２２ｂ，１２２ａ，２２２ｂ，３２２ａ，３２２ｂ，４２２ａ〜４２２ｆ，５２２ａ〜５２２ｆ：回転子、２４ａ，２４ｂ，２２４ａ，２２４ｂ，３２４ａ，３２４ｂ：ステータ本体、２６ａ，２６ｂ，２２６ａ，２２６ｂ：ステータメイン・コイル、２８ａ，２８ｂ，２２８ａ，２２８ｂ：ステータエキサイタ・コイル、３０ａ，３０ｂ，１３０ａ，１３０ｂ，２３０ａ，２３０ｂ，３３０ａ，３３０ｂ，４３０ａ〜４３０ｆ，５３０ａ〜５３０ｆ：ステータ、３２ａ，３２ｂ，３４ａ，３４ｂ，２３２ａ，２３２ｂ，２３４ａ，２３４ｂ：永久磁石、３６，３８，１３６，１３８，２３６，２３７，２３８，２３９，３３６，３３７，３３８，３３９，４３６ａ〜４３６ｅ，４３７ａ〜４３７ｅ，５３６ａ〜５３６ｅ，５３７ａ〜５３７ｅ：接続線、５０：発電機、５２：回転動力源、５４：コンデンサー、５６：コンセント、２５０：ベースフレーム、２５２：支柱、２５４：円筒状フレーム部材、２５６：固定カバー、２５８：ナット。
【図１】
0003135147.tif 000003
【図２】
0003135147.tif 000004
【図３】
0003135147.tif 000005
【図４】
0003135147.tif 000006
【図５】
0003135147.tif 000007
【図６】
0003135147.tif 000008
【図７】
0003135147.tif 000009
【図８】
0003135147.tif 000010
【図９】
0003135147.tif 000011